(57)【要約】      （修正有）【課題】車両のハンドル軸受の接続機構を取り外すこととなく、簡単で低コストで組立てできて、組立てに人為的ミスを起こさない組立式方向センサー装置を提供する。【解決手段】センサー締枠１、バーコード１１、センサー・ハウジング３、右側カバー２、バーコード・スキャナー３１及びプロセッサー回路と接続ターミナル３２とを備え、各部品がほぞとほぞ穴の結合方式で嵌合され、関節状連結部３５で以ってセンサーを回動自在に組付ける。【選択図】図１
0003146275.tif 000002
【実用新案登録請求の範囲】
【請求項１】
車両のハンドルに取り付ける車両の組立式方向センサー装置において、
２つの一定の厚さの半円状枠片からなり、組立て部材で結合されて、車両のハンドルの軸受に取り付けられるセンサー締枠と、
前記センサー締枠の表面に突出して設けられ、コードで車両の転角を示すバーコードと、
関節状連結部とセンサー・ハウジングで結合され、その内部構体で、前記センサー締枠の外縁に嵌設される右側カバーと、
前記センサー締枠、バーコード、バーコード・スキャナーを包覆し、組立て部品で前記右側カバーと結合したセンサー・ハウジングと、
前記センサー・ハウジングの内に収納され、前記バーコードのコード値を読み取るバーコード・スキャナーと、
前記センサー・ハウジングの内に収納され、前記バーコード・スキャナーが読み取ったコード情報を受収し、これを対応するインタフェース・フォーマットに変換して出力し、また原來の位置を記録するプロセッサー回路と接続ターミナルとからなり、
関節状連結部、前記センサー締枠及び前記センサー・ハウジングを利用して車両のハンドルを取り外すことなく、車両のハンドルの軸受に取り付ける、
車両の組立式方向センサー装置。
【請求項２】
前記２つの半円状枠片には各々１対の上下切口が形成されていて、これらが互いに嵌合する、請求項１に記載の車両の組立式方向センサー装置。
【請求項３】
前記２つの半円状枠片の組立用の部品はねじ、ピンなどの取り外しできる取り付け用素子である、請求項１に記載の車両の組立式方向センサー装置。
【請求項４】
前記関節状連結部は、上下に関節状ヒンジが使用され、前記組立式方向センサー装置は、活動自在の関節機能を有する、請求項１に記載の車両の組立式方向センサー装置。
【請求項５】
前記右側カバーの内部の凹部は、前記センサー締枠の外縁部と嵌合して、前記センサー締枠が前記右側カバーの内凹部で回転自在である、請求項１に記載の車両の組立式方向センサー装置。
【請求項６】
前記センサー・ハウジングと前記センサー締枠とは互いに精密で、かつ摺動自在に結合している、請求項１に記載の車両の組立式方向センサー装置。
【請求項７】
前記センサー・ハウジングの組立用の部品はねじ、ピンなど取り外しできる取り付け素子である、請求項１に記載の車両の組立式方向センサー装置。
【考案の詳細な説明】
【技術分野】
【０００１】
本考案は車両の組立式方向センサー装置に関するもので、特に車両のハンドルを取り外すことなく、その上に取り付け得る組立式方向センサー装置に関するもので、組立てに要する時間を短縮し、さらに人為的ミスによる作業錯誤に起因する危害も防止できるものである。
【背景技術】
【０００２】
この種の方向センサーはすでに多数の業者が生産している。
従来は方向センサーを締枠で固定し、ゴムなどでハンドル軸受の隙間を充填し、ねじで締枠をハンドルの軸受に締め付けている。
方向センサーは、全ての車両に取り付けてあるものではなく、必要とあらば車の持ち主自身で取り付ける場合もある。
この際には、先ずハンドル軸受の接続機構を取り外し、センサーの締枠をハンドルの軸受に取り付け、その後にハンドルをもとの状態に組立て、最後にセンサーにハウジングを被せて組立てを完了する。
【考案の開示】
【考案が解決しようとする課題】
【０００３】
既述したセンサーの組付け作業を行なう場合、つぎのような問題が発生する。
すなわち、車両の出荷時に付属されていない方向センサーを、車両の持ち主自身で取り付ける場合、ハンドル軸受の接続機構の取り外し作業を行なわなければならないが、この取り外し作業が非常に困難を伴う作業である。
また、どの方向センサーも自分の車両に適用可能であるとは限らない。
そのために、センサーの取付けコストが高くなるだけでなく、組立て作業に多くの時間がかかり不便である。
さらに、組立て作業に人為的ミスがあると重大な危険を招く。
【０００４】
本考案は以上の点に鑑みて成されたもので、本考案はこのような欠点を解決するために成されたものである。
本考案は、方向センサーを装置するに当たり、車両のハンドルの接続機構を取り外す必要のない組立式方向センサー装置を提供することを主要な目的とする。
【０００５】
また本考案は、組立て作業に時間とコストが掛からず、作業上の人為的ミスによる危険の起こらない組立式方向センサー装置を提供することを目的とする。
【課題を解決するための手段】
【０００６】
上記の目的を達成するため、本考案では、２つの一定の厚さの半円状枠片からなり、組立て部材で結合されて車両のハンドルの軸受に取り付けられた、センサー締枠と、締枠の表面に突出して設けられ、コードで車両の転角を示すバーコードと、関節状連結部とセンサー・ハウジングで結合され、その内部構体でセンサー締枠の外縁に嵌設される右側カバーと、センサー締枠、バーコード、バーコード・スキャナーを包覆し、組立て部品で右側カバーと結合したセンサー・ハウジングと、センサー・ハウジングの内に収納され、バーコードのコード値を読み取るバーコード・スキャナーと、センサー・ハウジングの内に収納され、バーコード・スキャナーが読み取ったコード情報を受収し、これを対応するインタフェース・フォーマットに変換して出力し、また原来の位置を記録するプロセッサー回路と接続ターミナルからなり、関節状連結部、センサー締枠及びセンサー・ハウジングを利用して車両のハンドルを取り外すことなく、車両のハンドルの軸受に取り付ける、車両の組立式方向センサー装置を提供する。
【考案の効果】
【０００７】
本考案に係わる車両の組立式方向センサー装置は、通常の類似装置に比べてつぎのような優れた利点を有する。
分離可能のほぞとほぞ穴の結合方式で以って取り付けるに当たり、本装置はハンドル軸受の接続機構を取り外す必要がない。
さらに装置の組立て作業に時間とコストが掛からず、作業上の人為的ミスによる危険がなくなる。
【考案を実施するための最良の形態】
【０００８】
以下に図面を参照しながら本考案の最良の形態について説明する。
図１の本考案に係わる車両の組立式方向センサー装置の分解図を示す。
車両の組立式方向センサー装置を構成する主要な部品は以下のとおりである。
【０００９】
センサーの締枠１は２つの一定の厚さを持つ半円状枠片１０１．１０２からなる。
枠片１０１．１０２には各々１対の上下切口があり、それで互いに嵌合した後、ねじ３４で締め付け、センサー締枠１としてハンドルの軸受に取り付ける。
ねじ３４はピンなどの取り外しできる、取り付け素子であってもよい。
嵌合方式は即ちほぞとほぞ穴の結合方式である。
【００１０】
バーコード１１はセンサー締枠１の表面に突出して設けられ、コードで車両の転角を示す。
【００１１】
右側カバー２は関節状連結部３５とセンサー・ハウジング３にて結合され、その内側の凹部で、センサー締枠１外側の外縁部と結合し、締枠１が右側カバー２の凹部に沿って、左右に回動可能となっている。
また、関節状連結部３５は上下にヒンジを通した関節状の連結構造であり、センサーはそれを中心として回動して、自在に方向を替え得る。
【００１２】
センサー・ハウジング３はそのうちにセンサー締枠１、バーコード１１及びバーコード・スキャナー３１を包含し、センサー締枠１とは互いに精密、且つ摺動自在に結合している。
そして、センサー・ハウジング３は、締め付けねじ３３で右側カバー２と結合している。ねじ３３はピンなどの取り外しできる取り付け素子を使ってもよい。          
【００１３】
バーコード・スキャナー３１は、センサー・ハウジング３の内に設けられバーコード１１の値を読み取る。
【００１４】
プロセッサー回路と接続ターミナル３２は、センサー・ハウジング３内に収納され、バーコード・スキャナー３１が読み取ったバーコード情報を受収し、これを対応するインタフェース・フォーマットに変換して接続ターミナルから出力し、またイニシアルの位置を記録する。
【００１５】
このようにほぞとほぞ穴結合を有するセンサー締枠１と、センサー・ハウジング３の構造で本装置は、ハンドルを取り外さなくても、ハンドルの軸受に迅速で簡単に組み立てることができる。
【００１６】
図２Ａから図２Ｃで本装置の組立て方法を説明する。
図２Ｃは図１に示した部品を組み立てた本装置の外観図である。
組立て作業に当たり、先ずねじ３３をハウジング３の貫通孔３０１と右側カバー２のねじ穴２０１から取り除けば、両者間の嵌合は解除されるのである。
次にねじ３４を２つのねじ穴３４１から取り外して、センサー締枠１が分解され、前置作業が完了する。  
【００１７】
次に２つに分離したセンサー締枠１をハンドルの軸受を凹部で、取り付けようねじ３４で締め付け、ハウジング３、締枠１及び右側カバー２を結合し、関節状連結部を組み立てた後、ねじ３３でハウジング３３を締め付けて固定し、組立て作業を完成するのである。
【００１８】
以上の詳細な説明は、本考案の実施可能な実施例についての具体的説明である。
但し、この実施例は本考案の請求範囲を制限するものではなく、凡そ本考案の技術思想を逸脱せずになされた同等効果の実施または変更は、全て本考案に含まれるものである。
【図面の簡単な説明】
【００１９】
【図１】本考案に係わる、車両の組立式方向センサー装置の分解図である。
【図２Ａ】車両の組立式方向センサー装置の組立て要領の説明図である。
【図２Ｂ】車両の組立式方向センサー装置の組立て要領の説明図である。
【図２Ｃ】車両の組立式方向センサー装置の組立て要領の説明図である。
【符号の説明】
【００２０】
１：センサー締枠
１０１，１０２：半円状枠片
１１：バーコード
２：右側カバー
２０１：右側カバーのねじ穴
３：センサー・ハウジング
３０１：センサー・ハウジングの貫通孔
３１：バーコード・スキャナー
３２：プロセッサー回路と接続ターミナル
３３：ハウジングの組立用ねじ
３４：センサー締枠の締付けねじ
３４１：センサー締枠のねじ穴
３５：関節状連結部
【図１】
0003146275.tif 000003
【図２Ａ】
0003146275.tif 000004
【図２Ｂ】
0003146275.tif 000005
【図２Ｃ】
0003146275.tif 000006